(57)【要約】  本発明の一実施形態に係る釣り用スイベルは、道糸とハリスとを接続する釣り用スイベルであって、該道糸と接続される第１の接続部と、該ハリスと接続される第２の接続部と、該第１の接続部と、該第２の接続部と、に回転自在に連結される本体部と、を備える。当該実施形態において、前記第１の接続部は、該本体部と接触する第１の接触部を有し、前記第２の接続部は、該本体部と接触する第２の接触部を有し、前記本体部は、該第１の接触部及び該第２の接触部と接触する本体部接触部を有し、前記第１の接触部の表面、前記第２の接触部の表面、及び前記本体部接触部の表面にフッ素樹脂を含有するめっき層が設けられている。
2019135413.tif 000002
【特許請求の範囲】
【請求項１】
道糸とハリスとを接続する釣り用スイベルであって、
該道糸と接続される第１の接続部と、
該ハリスと接続される第２の接続部と、
該第１の接続部と、該第２の接続部と、に回転自在に連結される本体部と、
を備え、
前記第１の接続部は、該本体部と接触する第１の接触部を有し、
前記第２の接続部は、該本体部と接触する第２の接触部を有し、
前記本体部は、該第１の接触部及び該第２の接触部と接触する本体部接触部を有し、
前記第１の接触部の表面、前記第２の接触部の表面、及び前記本体部接触部の表面にフッ素樹脂を含有するめっき層が設けられている、
釣り用スイベル。
【請求項２】
前記第１の接触部の表面、前記第２の接触部の表面、及び前記本体部接触部の表面には酸洗いが施されている、
請求項１に記載の釣り用スイベル。
【請求項３】
前記本体部は、筒状に形成されている、請求項１又は２に記載の釣り用スイベル。
【請求項４】
前記本体部接触部は、前記本体部の内周面に形成され、
前記第１の接触部は前記第１の接続部の外周面に設けられ、
前記第２の接触部は前記第２の接続部の外周面に設けられ、
前記第１の接触部及び前記第２の接触部は、該内周面と回転自在に接触する、
請求項１から３までのいずれか１項に記載の釣り用スイベル。
【請求項５】
前記本体部接触部は、前記本体部の各端部に形成され、
該各端部は、前記第１の接触部又は前記第２の接触部を包み込むように形成される、請求項１から４までのいずれか１項に記載の釣り用スイベル。
【請求項６】
前記めっき層は、前記第１の接続部の前記第１の接触部以外の表面、前記第２の接続部の前記第２の接触部以外の表面、及び前記本体部の前記本体部接触部以外の表面にも設けられている、請求項１から５までのいずれか１項に記載の釣り用スイベル。
【請求項７】
前記めっき層は、前記第１の接触部の表面、前記第２の接触部の表面、及び前記本体部接触部の表面における厚さが、これら以外の部分における厚さよりも厚い、請求項１から５までのいずれか１項に記載の釣り用スイベル。
【請求項８】
前記第１の接続部又は前記第２の接続部の外周面に、少なくとも１つの凸部が形成され、前記第１の接触部又は前記第２の接触部は、該凸部の部分である、請求項１から７までのいずれか１項に記載の釣り用スイベル。
【請求項９】
前記めっき層に含有される前記フッ素樹脂は、ＰＴＦＥである、請求項１ないし８のいずれか１項に記載の釣り用スイベル。
【請求項１０】
前記第１の接続部と、前記第２の接続部と、前記本体部とは、金属により形成される、請求項１から９までのいずれか１項に記載の釣り用スイベル。
【請求項１１】
前記第１の接続部と、前記第２の接続部と、前記本体部とは、真鍮又はステンレスにより形成される、請求項１０に記載の釣り用スイベル。
【請求項１２】
道糸と接続される第１の接続部と、
前記第１の接続部に回転自在に連結される第１の本体部と、
ハリスと接続される第２の接続部と、
前記第２の接続部に回転自在に連結される第２の本体部と、
前記第１の本体部と前記第２の本体部とを接続する中間接続部と、
を備え、
前記第１の接続部は、前記第１の本体部と接触する第１の接触部を有し、
前記第２の接続部は、前記第２の本体部と接触する第２の接触部を有し、
前記中間接続部は、前記第１の本体部と接触する第３の接触部及び前記第２の本体部と接触する第４の接触部とを有し、
前記第１の本体部は、前記第１の接触部及び前記第３の接触部と接触する第１の本体部接触部を有し、
前記第２の本体部は、前記第２の接触部及び前記第４の接触部と接触する第２の本体部接触部を有し、
前記第１の接触部の表面、前記第２の接触部の表面、前記第３の接触部の表面、前記第４の接触部の表面、前記第１の本体部接触部の表面、及び前記第２の本体部接触部の表面にフッ素樹脂を含有するめっき層が設けられている、
釣り用スイベル。
【発明の詳細な説明】
【技術分野】
【０００１】
本発明は、釣り用スイベルに関する。釣り用スイベルは、サルカン又は撚り戻しとも呼ばれる。
【背景技術】
【０００２】
従来より、道糸とハリスとを繋ぐ釣り用接続具として、スイベルが用いられている。スイベルの一種として、胴体がたる型の形状を有するたる型スイベルが知られている。たる型スイベルは、たる状の胴体の両端に回転自在に取り付けられた一組のリングを有する。当該リングはストッパ片により胴体から抜け止めされている。当該一組のリングの一方に道糸が接続され、他方にハリスが接続される。【０００３】
特許文献１及び特許文献２には、従来のスイベルが開示されている。特許文献１に開示されているスイベルは、スイベル本体と、該スイベル本体の一端に設けられた道糸用のリングと、当該スイベル本体の他端に設けられたハリス用のリングと、を備える。特許文献２に開示されているスイベルは、道糸に連結された第１連結部と、ハリスに連結された第２連結部と、両端がこれらの第１連結部および第２連結部にそれぞれ回転自在に連結された紐状の装着部と、これらの間に設けられた２つのカップと、を備える。
【先行技術文献】
【特許文献】
【０００４】
【特許文献１】特開平９−１７２９２１号公報
【特許文献２】特開平１１−００００８８号公報
【発明の概要】
【発明が解決しようとする課題】
【０００５】
スイベルにおいては、仕掛けの使用中に道糸とハリスとが撚れないようにするため、道糸及びハリスがスイベル本体に対して自在に回転することが求められる。しかしながら、従来のスイベルでは、スイベル本体の内周面と道糸又はハリスが取り付けられる金属製のリングの外周面との摩擦のため、回転性能が十分とは言い難い。また、従来のスイベルにおいては、耐久性にも問題があった。【０００６】
特許文献２に開示されているスイベルでは、２つのカップにより回転性能の向上が図られているが、当該２つのカップの内周面と、金属製のリング及び装着部の外周面との摩擦のため、回転性能が依然として十分とは言い難い。【０００７】
本発明の実施形態は、上記のような問題点に鑑み、回転性能が高くかつ耐久性にも優れ、また製造コストも低減された釣り用スイベルを提供することを目的とする。【０００８】
本発明の実施形態の他の目的は、本明細書全体を参照することにより明らかとなる。
【課題を解決するための手段】
【０００９】
本発明の一実施形態に係る釣り用スイベルは、道糸とハリスとを接続する釣り用スイベルであって、該道糸と接続される第１の接続部と、該ハリスと接続される第２の接続部と、該第１の接続部と、該第２の接続部と、に回転自在に連結される本体部と、を備える。当該実施形態において、前記第１の接続部は、該本体部と接触する第１の接触部を有し、前記第２の接続部は、該本体部と接触する第２の接触部を有し、前記本体部は、該第１の接触部及び該第２の接触部と接触する本体部接触部を有し、前記第１の接触部の表面、前記第２の接触部の表面、及び前記本体部接触部の表面にフッ素樹脂を含有するめっき層が設けられている。【００１０】
本発明の一実施形態において、前記第１の接触部の表面、前記第２の接触部の表面、及び前記本体部接触部の表面には酸洗いが施されている。【００１１】
本発明の一実施形態において、前記本体部は、筒状に形成されている。本発明の一実施形態において、前記本体部接触部は、前記本体部の内周面に形成され、前記第１の接触部は前記第１の接続部の外周面に設けられ、前記第２の接触部は前記第２の接続部の外周面に設けられ、前記第１の接触部及び前記第２の接触部は、該内周面と回転自在に接触する。【００１２】
本発明の一実施形態において、当該本体部接触部が、当該本体部の各端部に形成され、該各端部は、当該第１の接触部又は当該第２の接触部を包み込むように形成される。【００１３】
本発明の一実施形態において、前記第１の接続部の前記第１の接触部以外の表面、前記第２の接続部の前記第２の接触部以外の表面、及び前記本体部の前記本体部接触部以外の表面にフッ素めっきが施されている。【００１４】
本発明の一実施形態において、前記めっき層は、前記第１の接触部の表面、前記第２の接触部の表面、及び前記本体部接触部の表面における厚さが、これら以外の部分における厚さよりも厚い。【００１５】
本発明の一実施形態において、当該第１の接続部又は当該第２の接続部の外周面に、少なくとも１つの凸部が形成され、当該第１の接触部又は当該第２の接触部は、該凸部の部分であるよう構成される。【００１６】
本発明の一実施形態において、当該めっき層に含有される前記フッ素樹脂は、ＰＴＦＥ（ポリテトラフルオロエチレン又は４フッ化エチレン樹脂）である。【００１７】
本発明の一実施形態において、当該第１の接続部と、当該第２の接続部と、当該本体部とが、金属により形成される。【００１８】
本発明の一実施形態において、当該第１の接続部と、当該第２の接続部と、当該本体部とが、真鍮又はステンレスにより形成される。【００１９】
本発明の一実施形態に係る釣り用スイベルは、道糸と接続される第１の接続部と、前記第１の接続部に回転自在に連結される第１の本体部と、ハリスと接続される第２の接続部と、前記第２の接続部に回転自在に連結される第２の本体部と、前記第１の本体部と前記第２の本体部とを接続する中間接続部と、を備える。当該実施形態において、前記第１の接続部は、前記第１の本体部と接触する第１の接触部を有し、前記第２の接続部は、前記第２の本体部と接触する第２の接触部を有し、前記中間接続部は、前記第１の本体部と接触する第３の接触部及び前記第２の本体部と接触する第４の接触部とを有し、前記第１の本体部は、前記第１の接触部及び前記第３の接触部と接触する第１の本体部接触部を有し、前記第２の本体部は、前記第２の接触部及び前記第４の接触部と接触する第２の本体部接触部を有し、前記第１の接触部の表面、前記第２の接触部の表面、前記第３の接触部の表面、前記第４の接触部の表面、前記第１の本体部接触部の表面、及び前記第２の本体部接触部の表面にフッ素樹脂を含有するめっき層が設けられている。
【発明の効果】
【００２０】
本発明の様々な実施形態により、回転性能が高くかつ耐久性にも優れた釣り用スイベルを提供することが可能となる。
【図面の簡単な説明】
【００２１】
【図１】本発明の一実施形態における釣り用スイベル１の使用が想定される態様を示す図である。
【図２ａ】本発明の一実施形態による釣り用スイベル１の正面図である。
【図２ｂ】本発明の一実施形態による釣り用スイベル１の断面図である。
【図３ａ】図２ｂに示されている釣り用スイベル１の一部を拡大して示す拡大断面図である。
【図３ｂ】図３ａに示されている釣り用スイベル１の一部を拡大して示す拡大断面図である。
【図４】本発明の別の実施形態による釣り用スイベル１の拡大断面図である。
【図５ａ】本発明の一実施形態による釣り用スイベル１の拡大断面図である。
【図５ｂ】図５ａに示されている釣り用スイベル１の一部を拡大して示す拡大断面図である。
【図６】本発明の一実施形態による釣り用スイベルの断面図である。
【発明を実施するための形態】
【００２２】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない。
【００２３】
まず、図１を参照して、本発明の一実施形態における釣り用スイベル１について説明する。
【００２４】
図示のように、釣り用スイベル１は、使用時において、釣り竿１０から延びる道糸（釣糸）１１の先に取り付けられる。当該釣り用スイベル１には、スナップ１４を介して１又は複数の仕掛け１２が取り付けられる。仕掛け１２として、公知の様々な仕掛けを用いることができる。
【００２５】
図示のように、釣り用スイベル１は、道糸１１が取り付けられている側とは反対側でスナップ１４を介してハリス１３に取り付けられている。釣り用スイベル１は、道糸１１とハリス１３とを回転自在に接続する。釣り用スイベル１により、仕掛け１２の使用中に道糸１１とハリス１３との撚れの発生を防止することができる。
【００２６】
次に、図２ａ及び図２ｂを参照して、釣り用スイベル１についてさらに説明する。釣り用スイベル１は、道糸１１と接続される第１の接続部２と、ハリス１３と接続される第２の接続部３と、該第１の接続部２と該第２の接続部３とを回転自在に連結する本体部４と、を備える。第1の接続部２は、道糸１１と直接接続されてもよいし、他の部材を介して間接的に接続されてもよい。第２の接続部３は、ハリス１３と直接接続されてもよいし、他の部材（例えば、スナップ１４）を介して間接的に接続されてもよい。
【００２７】
図示の実施形態において、第１の接続部２は、道糸が結索されるリング形状のヘッド２ａと、本体部４に収容されるストッパ２ｃと、ヘッド２ａとストッパ２ｃとを連結する連結部２ｂと、を有する。第２の接続部３は、ハリスが結索されるリング形状のヘッド３ａと、本体部４に収容されるストッパ３ｃと、ヘッド３ａとストッパ３ｃとを連結する連結部３ｂと、を有する。第１の接続部２のヘッド２ａ及び第２の接続部３のヘッド３ａは、リング状の形状を有する。第１の接続部２のヘッド２ａ及び第２の接続部３のヘッド３ａの形状は、リング形状には限られない。第１の接続部２のストッパ２ｃは、第１の接続部２が本体部４から脱落しないように本体部４内に収容されている。第２の接続部３のストッパ３ｃは、第２の接続部３が本体部４から脱落しないように本体部４内に収容されている。第１の接続部２は、道糸１１を取り付けることができ、かつ本体部４に回転自在に連結され得る任意の形状をとり得る。第２の接続部３は、ハリス１３を取り付けることができ、かつ本体部４に回転自在に連結され得る任意の形状をとり得る。図示の実施形態では、第１の接続部２と第２の接続部３とは、同一形状及び同一寸法を有する。他の実施形態においては、第１の接続部２と第２の接続部３とは、互いに異なる形状及び／又は互いに異なる寸法を有していてもよい。第１の接続部２、第２の接続部３、及び本体部４は、真鍮、ステンレス、又はこれら以外の金属製であってもよい。
【００２８】
図示の実施形態において、本体部４は、筒状に形成されている。本体部４は、第１の接続部２を回転自在に支持し、また、第２の接触部３を回転自在に支持するように構成される。本体部４は、第１の接続部２を回転自在に支持し第２の接触部３を回転自在に支持できる限り、任意の構造、形状、及び寸法をとり得る。
【００２９】
図２ｂに示すように、第１の接続部２は、第１の接触部５において本体部４と接触する。第２の接続部３は、第２の接触部６において本体部４と接触する。本体部４のうち第１の接触部５と接触する部位及び第２の接触部６と接触する部位を総称して本体部接触部７と呼ぶ。言い換えると、本体部４は、本体部接触部７において第１の接続部２及び第２の接続部３と接触する。
【００３０】
本発明の一実施形態に係る釣り用スイベル１において、第１の接続部２の第１の接触部５の表面、第２の接続部３の第２の接触部６の表面、及び本体部４の本体部接触部７の表面にはフッ素樹脂を含有するめっき層が設けられている。
【００３１】
本発明の一実施形態に係る釣り用スイベル１の製造時には、第１の接続部２、第２の接続部３、及び本体部４の基材を準備し、これらの基材の表面を酸洗いすることで当該基材の表面を滑らかにする。基材に対する酸洗い処理（酸洗処理）は、酸性溶液（硫酸や塩酸など）に当該基材を所定時間浸漬することで行われる。基材には、酸洗いに加えて、バレル等によるばり取り（バレル加工）、酸洗い以外の化学研磨、及び／又はこれら以外の平滑化処理を施してもよい。この酸洗い処理及びその他の平滑化処理は省略されてもよい。次に、酸洗いが行われた基材にフッ素樹脂含有めっき層が設けられる。一実施形態において、フッ素樹脂含有めっき層は、フッ素樹脂の微粒子をめっき溶液内に分散共析させることで得られる複合めっき層である。めっき溶液としては、例えば、ニッケルめっき溶液が用いられる。このフッ素樹脂含有めっき層に含まれるフッ素樹脂は、例えば、ポリテトラフルオロエチレン（ＰＴＦＥ）である。フッ素樹脂含有めっき層は、無電解ニッケルめっきにて形成された無電解ニッケルめっき層及び電解ニッケルめっきにて形成された電解ニッケルめっき層の２層を含んでも良い。電解めっき層により、第１の接続部２、第２の接続部３、及び本体部４の表面をより平滑にすることができる。無電解ニッケルめっき層の厚さは１〜２μｍとｓれ、電解ニッケルめっき層の厚さは１〜２μｍ程度とされる。一実施形態において、フッ素樹脂含有めっき層は、鏡面めっき加工により形成されてもよい。フッ素樹脂含有めっき層を形成するためのめっき浴にバナジウムを混合してもよい。めっき浴にバナジウムを混合させることにより形成されるめっき層の硬度を向上させることができる。
【００３２】
次に、図３ａ及び図３ｂを参照して、第１の接続部２と本体部４との接触部位について説明する。図３ａは、図２ｂの一部を拡大して示す拡大断面図であり、図３ｂは、図３ａの一部をさらに拡大して示す拡大断面図である。図３ａに示すように、釣り用スイベル１は、本体部４の内周面に本体部接触部７を有し、第１の接続部２のストッパ２ｂの外周面９に第１の接触部５を有し、第２の接続部３のストッパ３ｂの外周面１０に第２の接触部６を有する。第１の接続部２が回転するときに、第１の接続部２の第１の接触部５が本体部４の本体部接触部７に接し、第２の接続部２が回転するときに、第２の接続部３の第２の接触部６が本体部４の本体部接触部７に接する。
【００３３】
図２ｂ及び図３ａに示すように、本発明の一実施形態に係る釣り用スイベル１は、本体部接触部７が、本体部４の上端部位４ａ及び下端部位４ｂに形成されている。本体部４の上端部位４ａは、第１の接触部５を囲むように（包み込むように）形成され、本体部４の下端部位４ｂは、第２の接触部６を囲むように（包み込むように）形成されている。本体部４の上端部位４ａは、第１の接続部２の回転軸に向かって傾斜している。本体部４の上端部位４ａの先端により貫通孔４ａ１が画定される。この貫通孔４ａ１の径は、ストッパ２ｂの径よりも大径とされる。本体部４の下端部位４ｂの先端により貫通孔４ｂ１が画定される。この貫通孔４ｂ１の径は、ストッパ３ｂの径よりも大径とされる。本体部４の上端部位４ａ及び下端部位４ｂは、プレス加工により形成され得る。これにより、第１の接続部２及び第２の接続部３が本体部４から脱落することをを防止できる。
【００３４】
図３ｂに示す実施形態において、第１の接続部２の外周面及び本体部４の内周面には、下地めっき層２０が設けられ、この下地めっき層２０の上にフッ素樹脂含有めっき層２１が設けられている。下地めっき層２０は、例えばニッケルめっき層である。フッ素樹脂含有めっき層２１は、既述のようにＰＴＦＥ等のフッ素樹脂を含有するめっき層である。下地めっき層２０及びフッ素樹脂含有めっき層２１は、第１の接続部２の外周面の一部だけに設けられてもよく全部に設けられてもよい。下地めっき層２０及びフッ素樹脂含有めっき層２１は、本体部４の内周面の一部だけに設けられてもよく全部に設けられてもよい。図示は省略されているが、第２の接続部３の内周面にも同様にして下地めっき層２０及びフッ素樹脂含有めっき層２１が設けられてもよい。下地めっき層２０は省略され得る。
【００３５】
フッ素樹脂含有めっき層２１は、その全体が均一な厚さとなるように形成されてもよいし、その一部の厚さが他の部分の厚さよりも厚くなるように形成されてもよい。例えば、図４に示すように、フッ素樹脂含有めっき層２１は、第１の接続部２の第１の接触部５における厚さが、それ以外の部位における厚さよりも厚くなるように形成されてもよい。図示は省略されているが、第２の接続部３に設けられるフッ素樹脂含有めっき層２１は、第２の接続部３の第２の接触部６における厚さが、それ以外の部位における厚さよりも厚くなるように形成されてもよい。同様に、本体部４に設けられるフッ素樹脂含有めっき層２１は、本体部４の本体部接触部７における厚さが、それ以外の部位における厚さよりも厚くなるように形成されてもよい。このように、摩耗が起こりやすい第１の接触部５、第２の接触部６が形成、及び本体部接触部７においてフッ素樹脂含有めっき層２１の厚さを厚くすることで、釣り用スイベル１の耐久性を更に向上させることができる。
【００３６】
次に、図５ａを用いて、本発明の別の実施形態に係る釣り用スイベル１について説明する。図５ａに示されている釣り用スイベル１は、第１の接続部２のストッパ２ｂの形状が図２に示されている実施形態と異なっている。図５ａに示されている釣り用スイベル１において、第１の接続部２のストッパ２ｂは、２つの凸部１５（又は段部）を有する。図５ａに示されている釣り用スイベル１において、第２の接続部３のストッパ３ｂも、第２のストッパ２ｂと同様に、２つの凸部を有していてもよい。第１の接続部２の外周面９にに形成される凸部１５の数及び第２の接続部３の外周面１０に形成される凸部１５の数は２つに限定されない。凸部１５の数は一つ以上であれば良い。図５ａに示されている釣り用スイベル１では、第１の接続部２は、その凸部１５の角において本体部４と接する。このため、第１の接続部２に設けられた凸部１５の一部分が第１の接触部５となる。同様に、第２の接続部３が凸部１５と同様の凸部を有する場合には、その凸部の角において本体部４と接する。このため、第２の接続部３に設けられた凸部１５の一部分が第２の接触部６となる。このようにして、第１の接続部２又は第２の接触部６と、本体部４との接触面積を低減することで、回転抵抗を下げることができ、回転性能をより向上させることができる。
【００３７】
図５ｂは、図５ａに示されている釣り用スイベルの一部を拡大して示す拡大断面図である。図５ｂに示すように、フッ素樹脂含有めっき層２１は、第１の接続部２の凸部１５における厚さが、それ以外の部位における厚さよりも厚くなるように形成されてもよい。図示は省略されているが、第２の接続部３に設けられるフッ素樹脂含有めっき層２１は、凸部における厚さが、それ以外の部位における厚さよりも厚くなるように形成されてもよい。このようにして、摩耗が起こりやすい部位におけるフッ素樹脂含有めっき層２１の厚さを厚くすることで、耐久性を更に向上させることができる。
【００３８】
図６は、本発明の一実施形態に係る釣り用スイベル１００の断面図である。図示のように、釣り用スイベル１００は、第１の本体部１０４ａと、この第１の本体部１０４ａと直列に接続された第２の本体部１０４ｂと、を備える。第１の本体部１０４ａは、道糸と接続される第１の接続部１０２と中間接続部１０６とを回転自在に連結する。第２の本体部１０４ｂは、ハリスと接続される第２の接続部１０３と中間接続部１０６とを回転自在に連結する。
【００３９】
第１の接続部１０２は、上記の第１の接続部２と同様に構成され、第２の接続部１０３は、上記の第２の接続部３と同様に構成される。具体的には、第１の接続部１０２は、道糸が取り付けられるリング形状のヘッド１０２ａと、第１の本体部１０４ａに収容されるストッパ１０２ｃと、ヘッド１０２ａとストッパ１０２ｃとを連結する連結部１０２ｂと、を有する。第２の接続部１０３は、ハリスが取り付けられるリング形状のヘッド１０３ａと、第２の本体部１０４ｂに収容されるストッパ１０３ｃと、ヘッド１０３ａとストッパ１０３ｃとを連結する連結部１０３ｂと、を有する。第１の本体部１０４ａ及び第２の本体部１０４ｂは、上記の本体部４と同様に構成される。
【００４０】
中間接続部１０６は、第１の本体部１０４ａに収容される第１のストッパ１０６ａと、第２の本体部１０４ｂに収容される第２のストッパ１０６ｂと、この第１のストッパ１０６ａと第２のストッパ１０６ｂとを連結する連結部１０６ｃと、を有する。連結部１０６ｃは、第１の本体部１０４ａの貫通孔及び第２の本体部１０４ｂの貫通孔を貫くように配置されている。第１のストッパ１０６ａの径は、第１の本体部１０４ａの径よりも大径であり、第２のストッパ１０６ｂの径は、第２の本体部１０４ｂの径よりも大径である。これにより、第１のストッパ１０６ａ及び第２のストッパ１０６ｂはそれぞれ、第１の本体部１０４ａ及び第２の本体部１０４ｂに抜け止めされている。中間接続部１０６の第１のストッパ１０６ａ及び第２のストッパ１０６ｂは、第１の接続部２のストッパ２ｂ（又は第２の接続部３のストッパ３ｂ）と同様に構成される。具体的には、第１のストッパ１０６ａは、第１の本体部１０４ａと接触する接触部を有し、第２のストッパ１０６ｂは、第２の本体部１０４ｂと接触する接触部を有する。これらの接触部は、第１の接続部２の第１の接触部５（又は第２の接続部３の第２の接触部６）と同様に構成される。さらに具体的には、第１のストッパ１０６ａの接触部及び第２のストッパ１０６ｂの接触部には、フッ素樹脂含有めっき層２１が設けられる。
【００４１】
図６に示されているスイベル１００のように、本体部が２つ直列に接続されているスイベルは、２連スイベルと呼ばれることがある。上記のように、本発明は、２連スイベルに適用可能である。図６に示されているスイベル１００は、本発明を２連スイベルに適用した実施形態の一例である。同様に、本発明は、本体部が３つ以上直列に接続された多連スイベルにも適用可能である。多連スイベルにおいては、隣接する本体部同士が中間接続部１０６と類似の接続部材により接続される。多連スイベルは、接続されている本体部の数に応じて、３連スイベル、４連スイベル、５連スイベルなどと呼ばれる。
【００４２】
前述の通り、釣り用スイベル１は、道糸１１とハリス１３とを回転自在に接続するものであり、仕掛け１２の使用中に道糸１１とハリス１３との間の撚れの発生を防止する役割を果たすが、既存のスイベルでは、回転性能、耐久性の点で十分とはいえない。このような課題の解決方法が求められていた中、本出願の発明者は、種々の試験を遂行する過程で、当該課題を解決する本発明を見出すに至ったものである。以下に、このような試験の結果を示す。
【００４３】
まず、スイベルに求められる回転性能を向上させるため、種々の態様で試験を行った。回転性能を比較するための試験では、スイベルの上部を適宜固定の上、スイベルの下部に４０号（約１５０ｇ）の錘を吊り下げ、毎分４５０回転の電動ドリルで錘を回し毎分４５０回転までスイベルを回転させた後、当該電動ドリルを外してからスイベルの回転が完全に止まるまでの回転回数を測定した。試験には、以下のスイベルを用いた。まず、本出願人が市販しているＤスイベルＳＳ  ローリングスイベルの真鍮製の８号サイズ（ＪＡＮコード：００３０４９）、５号サイズ（ＪＡＮコード：００３０６３）、及び１号サイズ基材（ＪＡＮコード：００３１２４）の製造に用いられる基材をそれぞれ準備した。表１には、以下の（１−１）〜（１−７）の７つのスイベルの回転回数の試験結果をそれぞれ示している。
（１−１）８号サイズのスイベルの基材の表面にフッ素樹脂含有めっき層２１を設けたスイベル（実施例１−１）
（１−２）８号サイズのスイベルの基材の表面を硫酸で約６０秒間酸洗い処理したスイベル（参考例１−１）
（１−３）８号サイズのスイベルの基材の表面にニッケルめっき層を設けたスイベル（比較例１−１）
（１−４）（１−３）と同様にして作成された２連スイベル（比較例１−２）
（１−５）（１−３）のスイベルと同様にして作成された３連スイベル（比較例１−３）
（１−６）（１−３）のスイベルと同様にして作成された５連スイベル（比較例１−４）及び
（１−７）従来のボールベアリング型スイベル（株式会社下田漁具から販売されているＢＢサルカンインターロック付０号）（比較例１−５）
スイベルの号数は製造業者ごとに定められているため、異なる製造業者のサルカンについては同じ号数であっても同じ寸法とは限らない。上記の例においては、比較例１−５のＢＢサルカンインターロック付０号は、実施例１−１の８号のスイベルとほぼ同じ寸法を有している。
表２には、以下の（２−１）〜（２−７）の７つのスイベルの回転回数の試験結果をそれぞれ示している。
（２−１）５号サイズのスイベルの基材の表面にフッ素樹脂含有めっき層２１を設けたスイベル（実施例２−１）
（２−２）５号サイズのスイベルの基材の表面を硫酸で約６０秒間酸洗い処理したスイベル（参考例２−１）
（２−３）５号サイズのスイベルの基材の表面にニッケルめっき層を設けたスイベル（比較例２−１）
（２−４）（２−３）と同様にして作成された２連スイベル（比較例２−２）
（２−５）（２−３）のスイベルと同様にして作成された３連スイベル（比較例２−３）
（２−６）（２−３）のスイベルと同様にして作成された５連スイベル（比較例２−４）
（２−７）従来のボールベアリング型スイベル（株式会社下田漁具から販売されているＢＢサルカンインターロック付３号）（比較例２−５）
表３には、以下の（３−１）〜（３−６）の７つのスイベルの回転回数の試験結果をそれぞれ示している。
（３−１）１号サイズのスイベルの基材の表面にフッ素樹脂含有めっき層２１を設けたスイベル（実施例３−１）
（３−２）１号サイズのスイベルの基材の表面を硫酸で約６０秒間酸洗い処理したスイベル（参考例３−１）
（３−３）１号サイズのスイベルの基材の表面にニッケルめっき層を設けたスイベル（比較例３−１）
（３−４）（３−３）と同様にして作成された２連スイベル（比較例３−２）
（３−５）（３−３）のスイベルと同様にして作成された５連スイベル（比較例３−３）
（３−６）従来のボールベアリング型スイベル（株式会社下田漁具から販売されているＢＢサルカンインターロック付５号）（比較例３−４）
【表１】
2019135413.tif 000003
【表２】
2019135413.tif 000004
【表３】
2019135413.tif 000005
【００４４】
表１〜表３には、上記のサルカンの各々について行った回転試験の結果を示す。具体的には、各表には、各サルカンについて、各試験毎の回転数、これらの内の最小回転数、最大回転数、平均回転数をそれぞれ順に示す。表１は、上記のようにして作成した実施例１−１、参考例１−１、比較例１−１〜比較例１−５の７種のスイベルについて、最小回転数、最大回転数、平均回転数をそれぞれ示す。表２は、上記のようにして作成した実施例２−１、参考例２−１、比較例２−１〜比較例２−５の７種のスイベルについて、最小回転数、最大回転数、平均回転数をそれぞれ示す。表３は、上記のようにして作成した実施例３−１、参考例３−１、比較例３−１〜比較例３−４の７種のスイベルについて、最小回転数、最大回転数、平均回転数をそれぞれ示す。
【００４５】
表１に示されているように、実施例１−１の１スイベルの平均回転数が１２．４回であり、参考例１−１のスイベルの平均回転数が１１．３回であった。このように、実施例１のスイベルは、フッ素含有樹脂めっき層を最外層に備えることで、接触部分をより平滑にすることが可能であることが分かった。また、実施例２のスイベルについても、良好な回転性能を示すことが分かった。
【００４６】
実施例１−１及び参考例１−１を比較例のスイベルの回転性能と比較する。比較例１−１のスイベルの平均回転数は１．７回であり、実施例１−１のスイベル平均回転数１２．４回よりも大幅に少ない。参考例１−１のスイベルの平均回転数は１１．３回であり、参考例１−１のスイベルも、比較例１−１のスイベルより回転性能が高いことが分かった。
【００４７】
比較例１−２のスイベル（２連スイベル）の平均回転数は８．７回であり、比較例１−３のスイベル（３連スイベル）の平均回転数は７．３回であり、比較例１−４のスイベル（５連スイベル）の平均回転数は７．５回であった。このように、フッ素樹脂含有めっき層を最外層に備えていない従来のスイベルでも多連スイベルとすれば、回転性能が高くなることが分かった。
【００４８】
実施例１−１のスイベルのの平均回転数は１２．４回であり、実施例１−１のスイベルは、多連スイベルとして構成された従来のスイベルよりも回転性能が優れていることが分かった。
【００４９】
このように、本発明のスイベルは、優れた回転性能を示すことが分かった。また、参考例１−１のスイベルも優れた回転性能を有することが分かった。比較例１−５のボールベアリング型のスイベルは高い回転性能を示すが、後述するコストが高額となってしまう。
【００５０】
表２及び表３に示した回転性能の実験結果においても、以上の傾向が概ね当てはまる。以上のように、上記の試験結果から、本発明の一実施形態のスイベルは、優れた回転性能を示すことが分かった。
【００５１】
次に、スイベルに求められる耐久性を向上させるため、種々の態様で試験を行った。耐久性を比較するための試験では、ボール盤にスイベル上部を固定し、スイベル下部に１５０号（約５６３ｇ）の錘をぶら下げ、錘が回転しないよう側面を治具で抑えるようにした。錘の重量は、スイベルにかかった状態でボール盤を毎分４３０回転させることにより、磨耗でスイベルの本体部が接続部から抜け落ちるまでの時間である磨耗落下時間（秒）と、磨耗でスイベルの本体部が接続部から抜け落ちるまでの磨耗落下回転数を計測した。その結果を以下に示す。
【表４】
2019135413.tif 000006
【表５】
2019135413.tif 000007
【表６】
2019135413.tif 000008
【００５２】
続いて、表４〜表６を参照して、スイベルの耐摩耗性の試験結果について説明する。表４は、上記のようにして作成した実施例１−１、参考例１−１、比較例１−１、比較例１−２、及び比較例１−４の５種のスイベルについて、磨耗落下時間（秒）および磨耗落下回転数をそれぞれ示す。表５は、実施例２−１、参考例２−２、比較例２−１、比較例２−２、及び比較例２−４の５種のスイベルについて、磨耗落下時間（秒）および磨耗落下回転数をそれぞれ示す。表５は、実施例３−１、参考例３−２、比較例３−１、比較例３−２、及び比較例３−３の５種のスイベルについて、磨耗落下時間（秒）および磨耗落下回転数をそれぞれ示す。
【００５３】
表４に示されているように、実施例１−１のスイベルの平均落下時間は１３６２２秒であり、平均回転数は９７６２７であった。参考例１−１のスイベルの平均落下時間は３９３秒であり、平均回転数は２８１４であった。このように、実施例１−１のスイベルは、フッ素樹脂含有めっき層を最外層に備えることで、接触部分がフッ素樹脂含有めっき層により守られるため、参考例１−１のスイベルよりも顕著に良好な耐磨耗性能を示すことが分かった。
【００５４】
実施例１−１のスイベルの耐久性を従来のスイベルと比較する。表４に示されているように、比較例１−１のスイベルの平均落下時間は３６９秒であり、平均回転数は２６４５であった。比較例１−２のスイベルの平均落下時間は３９３秒であり、平均回転数は２８１４であった。よって、実施例１−１のスイベル及び参考例１−１のスイベルは、比較例１−１のスイベルよりも耐摩耗性が高いことが分かった。
【００５５】
比較例１−２のスイベル（２連スイベル）の平均落下時間は３１２５秒であり、平均回転数は、２２３９７であった。また、比較例１−４のスイベル（５連スイベル）の平均落下時間は８８０９秒であり、平均回転数は６３１３１であった。このように、従来のスイベルでも多連スイベルとすれば耐摩耗性が高くなることが分かった。その理由は、多連スイベルは複数の本体部を備えるため、回転時の摩擦力が複数の本体部に分散することで、各本体部における摩耗の早さが遅くなるためと考えられる。
【００５６】
表４に示されていないが、実施例１−１と同様にして作成された多連スイベルは、実施例１−１よりも高い耐磨耗性を示すことが確認された。
【００５７】
表５及び表６に示した耐磨耗性の実験結果においても、以上の傾向は、概ね当てはまる。以上により、本発明の一実施形態のスイベルは、高い耐久性を実現できることが分かった。
【００５８】
続いて、スイベルのコストを比較する。表７に、実施例１−１、参考例１−１、比較例１−１、比較例１−２、比較例１−４、及び比較例１−５の６種のスイベルの製造コストを示す。表７に示されている各スイベルのコストは、比較例１−１のスイベルの製造工数を１とした場合の各スイベルの相対的な製造工数を示したものである。
【表７】
2019135413.tif 000009
【００５９】
比較例１−５のスイベル（ボールベアリング型）は回転性能に優れるが、コストが比較例１のスイベルの３倍と極めて高価となることが分かった。また、比較例１−４のスイベル（５連スイベル）も、回転性能や耐久性が良好であるが、コストが比較例１−１のスイベルの４倍と高価となることが分かった。
【００６０】
比較例１−２のスイベル（２連スイベル）のコストは約２であり、比較例１−５のスイベル（ボールベアリング型）及び比較例１−４の５連スイベル（スイベル５つを接続）よりも低コストであるが、上述したように回転性能や耐久性の点で十分ではない。
【００６１】
これに対して、実施例１−１のスイベルは、コストが約１．６であり、参考例１−１のスイベルは、コストが約１．４となった。スイベルとしての望ましいコストは、比較例１−１のスイベルの１．３倍〜１．８倍程度と考えられる。実施例１−１のスイベルは、比較例１−１のスイベルの約１．６倍のコストである。このように、各スイベルのコストを比較した結果、実施例１−１のスイベルは、優れた回転性能及び耐久性を有する一方で、比較例１−４の５連スイベルや比較例１−５のスイベル（ボールベアリング型）と比較して大幅に低コストで製造することができることが見出された。
【００６２】
本発明の実施形態は、上述した実施形態に限定されるものではなく、その要旨を逸脱しない範囲で様々な変更が可能である。例えば、ことが可能である。また、は、上述した実施形態に限定されるものではなく、適宜種々変更可能であることはいうまでもない。
【００６３】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００６４】
１、１００  釣り用スイベル
２  第１の接続部
３  第２の接続部
４  本体部
５  第１の接触部
６  第２の接触部
７  本体部接触部  １１  道糸
１２  仕掛け
１３  ハリス
１４  スナップ
１５  凸部
２０  下地めっき層
２１  フッ素樹脂含有めっき層
【図１】
2019135413.tif 000010
【図２ａ】
2019135413.tif 000011
【図２ｂ】
2019135413.tif 000012
【図３ａ】
2019135413.tif 000013
【図３ｂ】
2019135413.tif 000014
【図４】
2019135413.tif 000015
【図５ａ】
2019135413.tif 000016
【図５ｂ】
2019135413.tif 000017
【図６】
2019135413.tif 000018
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
道糸とハリスとを接続する釣り用スイベルであって、
該道糸と接続される第１の接続部と、
該ハリスと接続される第２の接続部と、
該第１の接続部と、該第２の接続部と、に回転自在に連結される本体部と、
を備え、
前記第１の接続部は、該本体部と接触する第１の接触部を有し、
前記第２の接続部は、該本体部と接触する第２の接触部を有し、
前記本体部は、該第１の接触部及び該第２の接触部と接触する本体部接触部を有し、
前記第１の接触部の表面、前記第２の接触部の表面、及び前記本体部接触部の表面にフッ素樹脂を含有するめっき層が設けられており、
前記第１の接続部又は前記第２の接続部の外周面に、少なくとも１つの凸部が形成され、前記第１の接触部又は前記第２の接触部は、該凸部の部分であり、前記凸部は角を有しており、前記角において前記本体部と接触する、
釣り用スイベル。
【請求項２】
前記第１の接触部の表面、前記第２の接触部の表面、及び前記本体部接触部の表面には酸洗いが施されている、
請求項１に記載の釣り用スイベル。
【請求項３】
前記本体部は、筒状に形成されている、請求項１又は２に記載の釣り用スイベル。
【請求項４】
前記本体部接触部は、前記本体部の内周面に形成され、
前記第１の接触部は前記第１の接続部の外周面に設けられ、
前記第２の接触部は前記第２の接続部の外周面に設けられ、
前記第１の接触部及び前記第２の接触部は、該内周面と回転自在に接触する、
請求項１から３までのいずれか１項に記載の釣り用スイベル。
【請求項５】
前記本体部接触部は、前記本体部の各端部に形成され、
該各端部は、前記第１の接触部又は前記第２の接触部を包み込むように形成される、請求項１から４までのいずれか１項に記載の釣り用スイベル。
【請求項６】
前記めっき層は、前記第１の接続部の前記第１の接触部以外の表面、前記第２の接続部の前記第２の接触部以外の表面、及び前記本体部の前記本体部接触部以外の表面にも設けられている、請求項１から５までのいずれか１項に記載の釣り用スイベル。
【請求項７】
前記めっき層は、前記第１の接触部の表面、前記第２の接触部の表面、及び前記本体部接触部の表面における厚さが、これら以外の部分における厚さよりも厚い、請求項１から５までのいずれか１項に記載の釣り用スイベル。
【請求項８】
（削除）
【請求項９】
前記めっき層に含有される前記フッ素樹脂は、ＰＴＦＥである、請求項１ないし８のいずれか１項に記載の釣り用スイベル。
【請求項１０】
前記第１の接続部と、前記第２の接続部と、前記本体部とは、金属により形成される、請求項１から９までのいずれか１項に記載の釣り用スイベル。
【請求項１１】
前記第１の接続部と、前記第２の接続部と、前記本体部とは、真鍮又はステンレスにより形成される、請求項１０に記載の釣り用スイベル。
【請求項１２】
道糸と接続される第１の接続部と、
前記第１の接続部に回転自在に連結される第１の本体部と、
ハリスと接続される第２の接続部と、
前記第２の接続部に回転自在に連結される第２の本体部と、
前記第１の本体部と前記第２の本体部とを接続する中間接続部と、を備え、
前記第１の接続部は、前記第１の本体部と接触する第１の接触部を有し、
前記第２の接続部は、前記第２の本体部と接触する第２の接触部を有し、
前記中間接続部は、前記第１の本体部と接触する第３の接触部及び前記第２の本体部と接触する第４の接触部とを有し、
前記第１の本体部は、前記第１の接触部及び前記第３の接触部と接触する第１の本体部接触部を有し、
前記第２の本体部は、前記第２の接触部及び前記第４の接触部と接触する第２の本体部接触部を有し、
前記第１の接触部の表面、前記第２の接触部の表面、前記第３の接触部の表面、前記第４の接触部の表面、前記第１の本体部接触部の表面、及び前記第２の本体部接触部の表面にフッ素樹脂を含有するめっき層が設けられている、
釣り用スイベル。
【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
道糸とハリスとを接続する釣り用スイベルであって、
該道糸と接続される第１の接続部と、
該ハリスと接続される第２の接続部と、
該第１の接続部と、該第２の接続部と、に回転自在に連結される本体部と、
を備え、
前記第１の接続部は、該本体部と接触する第１の接触部を有し、
前記第２の接続部は、該本体部と接触する第２の接触部を有し、
前記本体部は、該第１の接触部及び該第２の接触部と接触する本体部接触部を有し、
前記第１の接続部の表面及び前記第２の接続部の表面にフッ素樹脂を含有するめっき層がそれぞれ設けられており、
前記第１の接続部又は前記第２の接続部の外周面に、少なくとも１つの凸部が形成され、前記第１の接触部又は前記第２の接触部は、該凸部の部分であり、前記凸部は角を有しており、前記角において前記本体部と接触し、
前記第１の接触部の表面及び前記第２の接触部の表面における前記めっき層の厚さは、これら以外の部分における前記めっき層の厚さよりも厚い、釣り用スイベル。
【請求項２】
前記第１の接触部の表面、前記第２の接触部の表面、及び前記本体部接触部の表面には酸洗いが施されている、
請求項１に記載の釣り用スイベル。
【請求項３】
前記本体部は、筒状に形成されている、請求項１又は２に記載の釣り用スイベル。
【請求項４】
前記本体部接触部は、前記本体部の内周面に形成され、
前記第１の接触部は前記第１の接続部の外周面に設けられ、
前記第２の接触部は前記第２の接続部の外周面に設けられ、
前記第１の接触部及び前記第２の接触部は、該内周面と回転自在に接触する、
請求項１から３までのいずれか１項に記載の釣り用スイベル。
【請求項５】
前記本体部接触部は、前記本体部の各端部に形成され、
該各端部は、前記第１の接触部又は前記第２の接触部を包み込むように形成される、請求項１から４までのいずれか１項に記載の釣り用スイベル。
【請求項６】
前記めっき層は、前記第１の接続部の前記第１の接触部以外の表面、前記第２の接続部の前記第２の接触部以外の表面、及び前記本体部の前記本体部接触部以外の表面にも設けられている、請求項１から５までのいずれか１項に記載の釣り用スイベル。
【請求項７】
前記めっき層は、前記本体部接触部の表面にも設けられている、請求項１から５１までのいずれか一項に記載の釣り用スイベル。
【請求項８】
（削除）
【請求項９】
前記めっき層に含有される前記フッ素樹脂は、ＰＴＦＥである、請求項１ないし８のいずれか１項に記載の釣り用スイベル。
【請求項１０】
前記第１の接続部と、前記第２の接続部と、前記本体部とは、金属により形成される、請求項１から９までのいずれか１項に記載の釣り用スイベル。
【請求項１１】
前記第１の接続部と、前記第２の接続部と、前記本体部とは、真鍮又はステンレスにより形成される、請求項１０に記載の釣り用スイベル。
【請求項１２】
道糸と接続される第１の接続部と、
前記第１の接続部に回転自在に連結される第１の本体部と、
ハリスと接続される第２の接続部と、
前記第２の接続部に回転自在に連結される第２の本体部と、
前記第１の本体部と前記第２の本体部とを接続する中間接続部と、
を備え、
前記第１の接続部は、前記第１の本体部と接触する第１の接触部を有し、
前記第２の接続部は、前記第２の本体部と接触する第２の接触部を有し、
前記中間接続部は、前記第１の本体部と接触する第３の接触部及び前記第２の本体部と接触する第４の接触部とを有し、
前記第１の本体部は、前記第１の接触部及び前記第３の接触部と接触する第１の本体部接触部を有し、
前記第２の本体部は、前記第２の接触部及び前記第４の接触部と接触する第２の本体部接触部を有し、
前記第１の接触部の表面、前記第２の接触部の表面、前記第３の接触部の表面、前記第４の接触部の表面、前記第１の本体部接触部の表面、及び前記第２の本体部接触部の表面にフッ素樹脂を含有するめっき層が設けられ、
前記第１の接触部の表面、前記第２の接触部の表面、前記第３の接触部の表面、及び前記第４の接触部の表面における前記めっき層の厚さは、これら以外の部分における前記めっき層の厚さよりも厚い、釣り用スイベル。
【国際調査報告】
2019135413.tif 000019
2019135413.tif 000020
2019135413.tif 000021
2019135413.tif 000022